(57)【特許請求の範囲】
【請求項１】
梁勝ち梁部材の端部の少なくとも一方の側面から、横方向梁部材が垂直に延設して接合されていると共に、梁勝ち梁部材の端部の端面から、継足し梁部材が直線状に延設して接合されている梁勝ち接合部において用いられる、略コの字断面形状を有するように加工形成された接合金物の取付構造であって、
該接合金物は、略コの字断面形状のコの字の中間辺部を構成する当接プレート部に、縦方向に所定の中心間ピッチで複数の接合ボルト締着孔が開口形成されており、略コの字断面形状のコの字の両側の側辺部を構成する一対の張出しプレート部に、縦方向に所定の中心間ピッチで複数のドリフトピン係合孔やドリフトピン係合切欠きが各々形成されており、
前記複数の接合ボルト締着孔は、前記当接プレート部の一方の端部から一端部の前記接合ボルト締着孔の中心までの縦方向の離れと、前記当接プレート部の他方の端部から他端部の前記接合ボルト締着孔の中心までの縦方向の離れとが、前記所定の中心間ピッチの半分又は略半分の長さ分ずれた長さとなるように配置されており、
前記複数のドリフトピン係合孔やドリフトピン係合切欠きは、前記当接プレート部の前記一方の端部から一端部の前記ドリフトピン係合孔やドリフトピン係合切欠きの中心までの縦方向の離れと、前記当接プレート部の前記他方の端部から他端部の前記ドリフトピン係合孔やドリフトピン係合切欠きの中心までの縦方向の離れとが、等しくなるように配置されており、
前記梁勝ち梁部材の端部の少なくとも一方の側面に取り付けられた前記接合金物と、前記梁勝ち梁部材の端部の端面に取り付けられた前記接合金物とは、上下逆さまにした状態で配置されると共に、前記梁勝ち梁部材の端部の同じ高さ位置に配置されて取り付けられており、
前記接合金物は、前記梁勝ち梁部材の端部の側面及び端面において、縦方向に複数段に重ねて取り付けられており、
前記接合金物の前記当接プレート部の一方の端部には、位置決め係止凹部が形成されていると共に、他方の端部には、前記位置決め係止凹部と対応する形状の位置決め係止凸部が形成されており、
前記梁勝ち梁部材の端部の側面に複数段に取り付けられた前記接合金物と、前記梁勝ち梁部材の端部の端面に複数段に取り付けられた前記接合金物とは、上下逆さまにした状態で配置されると共に、上段の前記接合金物と下段の前記接合金物とが、前記位置決め係止凹部及び前記位置決め係止凸部を介して位置決めされた状態で上下に連設して、前記梁勝ち梁部材の端部の同じ高さ位置に配置されて取り付けられている梁勝ち接合部における接合金物の取付構造。
【請求項２】
前記梁勝ち梁部材と、前記横方向梁部材と、前記継足し梁部材とは、梁の高さが２７０〜９００ｍｍの梁せいの大きな梁部材となっており、
前記複数の接合ボルト締着孔は、前記当接プレート部の一方の端部から一端部の前記接合ボルト締着孔の中心までの縦方向の離れが、前記接合ボルト締着孔の前記所定の中心間ピッチの３／４の長さとなっていると共に、前記当接プレート部の他方の端部から他端部の前記接合ボルト締着孔の中心までの縦方向の離れが、前記接合ボルト締着孔の前記所定の中心間ピッチの１／４の長さとなっており、
前記複数のドリフトピン係合孔やドリフトピン係合切欠きは、前記当接プレート部の前記一方の端部から一端部の前記ドリフトピン係合孔やドリフトピン係合切欠きの中心までの縦方向の離れと、前記当接プレート部の前記他方の端部から他端部の前記ドリフトピン係合孔やドリフトピン係合切欠きの中心までの縦方向の離れとが、前記接合ボルト締着孔の前記所定の中心間ピッチの１／２の長さとなっている請求項１記載の梁勝ち接合部における接合金物の取付構造。
【請求項３】
前記接合金物の前記当接プレート部の縦方向の一方の端部に形成された前記位置決め係止凹部は、弧状の凹部となっており、縦方向の他方の端部に形成された、前記位置決め係止凹部と対応する形状の前記位置決め係止凸部は、弧状の凸部となっている請求項１又は２記載の梁勝ち接合部における接合金物の取付構造。
【請求項４】
前記接合金物の前記当接プレート部の外側面から外側に突出して、前記梁勝ち梁部材の端部の側面や端面に形成されたボルト挿通孔の拡径部分に位置決め装着される位置決め突部が、縦方向に所定の中心間ピッチで複数設けられており、該位置決め突部の中央部分に前記接合ボルト締着孔が各々開口形成されている請求項１〜３のいずれか１項記載の梁勝ち接合部における接合金物の取付構造。
【請求項５】
前記接合金物の前記一対の張出しプレート部に各々形成された複数のドリフトピン係合孔やドリフトピン係合切欠きは、縦方向の両端部分にドリフトピン係合切欠きが形成されており、これらのドリフトピン係合切欠きに挟まれる縦方向の中間部分に、ドリフトピン係合孔が形成されている請求項１〜４のいずれか１項記載の梁勝ち接合部における接合金物の取付構造。
【請求項６】
前記梁勝ち梁部材と、前記横方向梁部材と、前記継足し梁部材とは、天面の高さを揃えた状態で設置されている請求項１〜５のいずれか１項記載の梁勝ち接合部における接合金物の取付構造。
【請求項７】
請求項１〜６のいずれか１項記載の梁勝ち接合部における接合金物の取付構造において使用される、略コの字断面形状を有するように加工形成された接合金物であって、
略コの字断面形状のコの字の中間辺部を構成する当接プレート部に、縦方向に所定の中心間ピッチで複数の接合ボルト締着孔が開口形成されており、略コの字断面形状のコの字の両側の側辺部を構成する一対の張出しプレート部に、縦方向に所定の中心間ピッチで複数のドリフトピン係合孔やドリフトピン係合切欠きが各々形成されており、
前記複数の接合ボルト締着孔は、前記当接プレート部の一方の端部から一端部の前記接合ボルト締着孔の中心までの縦方向の離れと、前記当接プレート部の他方の端部から他端部の前記接合ボルト締着孔の中心までの縦方向の離れとが、前記所定の中心間ピッチの半分又は略半分の長さ分ずれた長さとなるように配置されており、
前記複数のドリフトピン係合孔やドリフトピン係合切欠きは、前記当接プレート部の前記一方の端部から一端部の前記ドリフトピン係合孔やドリフトピン係合切欠きの中心までの縦方向の離れと、前記当接プレート部の前記他方の端部から他端部の前記ドリフトピン係合孔やドリフトピン係合切欠きの中心までの縦方向の離れとが、等しくなるように配置されており、
前記当接プレート部の縦方向の一方の端部には、位置決め係止凹部が形成されていると共に、縦方向の他方の端部には、前記位置決め係止凹部と対応する形状の位置決め係止凸部が形成されている接合金物。
【請求項８】
前記複数の接合ボルト締着孔は、前記当接プレート部の一方の端部から一端部の前記接合ボルト締着孔の中心までの縦方向の離れが、前記接合ボルト締着孔の前記所定の中心間ピッチの３／４の長さとなっていると共に、前記当接プレート部の他方の端部から他端部の前記接合ボルト締着孔の中心までの縦方向の離れが、前記接合ボルト締着孔の前記所定の中心間ピッチの１／４の長さとなっており、
前記複数のドリフトピン係合孔やドリフトピン係合切欠きは、前記当接プレート部の前記一方の端部から一端部の前記ドリフトピン係合孔やドリフトピン係合切欠きの中心までの縦方向の離れと、前記当接プレート部の前記他方の端部から他端部の前記ドリフトピン係合孔やドリフトピン係合切欠きの中心までの縦方向の離れとが、前記接合ボルト締着孔の前記所定の中心間ピッチの１／２の長さとなっている請求項７記載の接合金物。
【発明の詳細な説明】
【技術分野】
【０００１】
本発明は、梁勝ち梁部材の端部に横方向梁部材及び継足し梁部材が接合される梁勝ち接合部において用いられる、略コの字断面形状を有するように加工形成された接合金物の取付構造及び接合金物に関する。
【背景技術】
【０００２】
例えば木造住宅建築物等の木造の建物においては、建物の骨組構造を構成する柱部材と梁部材との接合部は、柱部材を分断することなく１本物として通して、これの側面に接合金物等を介して梁部材が接合される構造の、柱勝ち接合部とするのが一般的であるが、近年、例えば片持ち張り出しバルコニーや、オーバーハング部を形成するための柱部材と梁部材との接合構造として、梁部材を挟んだ上下で柱部材を分断して、梁部材の端部の上面及び／又は下面から柱部材を垂直に立設させた、梁勝ち接合部が採用される場合がある（例えば、特許文献１、特許文献２参照）。
【０００３】
このような梁勝ち接合部における接合構造では、梁勝ち梁部材の側面や端面に、他の梁部材として、例えば梁勝ち梁部材の側面から垂直に延設する横方向梁部材や、梁勝ち梁部材の端面から直線状に延設する継足し梁部材が接合される場合がある。これらの横方向梁部材や継足し梁部材は、梁勝ち梁部材の側面や端面に、ボルト部材を用いて例えば略コの字断面形状を有するプレート状の接合金物を取り付けておき、この接合金物の張り出しプレート部に、当該横方向梁部材や継足し梁部材の端面に形成された接合溝を嵌め込んで、ドリフトピンを用いて固定することで、梁勝ち梁部材に接合されるようになっている。
【０００４】
一方、近年、大きな耐力を得るための梁部材や、あらわし梁として用いる梁部材として、例えば梁の高さが２７０〜９００ｍｍ程度の、梁せい（梁高さ）の大きな梁部材が好ましく用いられる場合がある。また、このような梁せいの大きな梁部材を梁勝ち梁部材に接合する際には、略コの字断面形状を有する従来の接合金物を用いただけでは、十分な接合強度が得られなくなるおそれがある。このため、接合金物を縦方向に２段（複数段）に使用して、接合強度を向上させるようにすることが考えられている（例えば、特許文献３参照）。
【先行技術文献】
【特許文献】
【０００５】
【特許文献１】特開２００２−３５６９１７号公報
【特許文献２】特開２００９−６８２９３号公報
【特許文献３】特開２００５−２４８４３７号公報
【発明の概要】
【発明が解決しようとする課題】
【０００６】
しかしながら、特許文献１〜３の接合構造では、柱部材の側面や梁部材の側面に対して、一方向にのみ梁部材や他の梁部材を接合する構造となっており、これを例えば梁勝ち梁部材の端部において、当該梁勝ち梁部材に対して垂直な方向のみならず、当該梁勝ち梁部材の延設方向にも他の梁部材を接合することによって構成される梁勝ち接合部で採用すると、これらの垂直に交差する２方向の梁部材を接合するための接合金物を、取付け用のボルト部材同士の緩衝を生じさせない状態で、梁勝ち梁部材の側面や端面に各々取り付けて行く作業が難しくなる。また各々の梁部材に対してドリフトピンを打ち込んでゆくための、ドリフトピン係合孔やドリフトピン係合切欠きの高さ位置が、垂直に交差する２方向の梁部材の間でずれることになって、特にこれらの梁部材が、あらわし梁として用いられる場合には、美観を損うことになりやすい。
【０００７】
また、特許文献３の接合構造では、梁せいの大きな組合せ梁を、柱や横架材の側面に接合する際に、略コの字断面形状を有する一対の接合金物を縦方向に連設配置すると共に、これらの一対の接合金物を、左右一対の接合板を介して縦方向に接合一体化するようになっていることから、その構成が複雑になると共に、取り付け作業が複雑になる。
【０００８】
本発明は、梁勝ち梁部材の端部において、当該梁勝ち梁部材に対して垂直な方向のみならず、これの延設方向にも他の梁部材を接合する場合でも、これらの垂直に交差する２方向に梁部材を接合するための接合金物を、取付け用のボルト部材同士の緩衝を生じさせない状態で、容易に取り付けることができると共に、打ち込まれたドリフトピンの高さ位置を揃えて美観を向上させることのできる、梁勝ち接合部における接合金物の取付構造及び接合金物を提供することを目的とする。
【０００９】
また、本発明は、梁せいの大きな梁勝ち梁部材の端部に梁せいの大きな横方向梁部材及び継足し梁部材を接合する場合でも、簡易な構成によって、容易に且つ十分な接合強度で、横方向梁部材及び継足し梁部材を梁勝ち梁部材に接合することのできる、梁勝ち接合部における接合金物の取付構造及び接合金物を提供することを目的とする。
【課題を解決するための手段】
【００１０】
本発明は、梁勝ち梁部材の端部の少なくとも一方の側面から、横方向梁部材が垂直に延設して接合されていると共に、梁勝ち梁部材の端部の端面から、継足し梁部材が直線状に延設して接合されている梁勝ち接合部において用いられる、略コの字断面形状を有するように加工形成された接合金物の取付構造であって、該接合金物は、略コの字断面形状のコの字の中間辺部を構成する当接プレート部に、縦方向に所定の中心間ピッチで複数の接合ボルト締着孔が開口形成されており、略コの字断面形状のコの字の両側の側辺部を構成する一対の張出しプレート部に、縦方向に所定の中心間ピッチで複数のドリフトピン係合孔やドリフトピン係合切欠きが各々形成されており、前記複数の接合ボルト締着孔は、前記当接プレート部の一方の端部から一端部の前記接合ボルト締着孔の中心までの縦方向の離れと、前記当接プレート部の他方の端部から他端部の前記接合ボルト締着孔の中心までの縦方向の離れとが、前記所定の中心間ピッチの半分又は略半分の長さ分ずれた長さとなるように配置されており、前記複数のドリフトピン係合孔やドリフトピン係合切欠きは、前記当接プレート部の前記一方の端部から一端部の前記ドリフトピン係合孔やドリフトピン係合切欠きの中心までの縦方向の離れと、前記当接プレート部の前記他方の端部から他端部の前記ドリフトピン係合孔やドリフトピン係合切欠きの中心までの縦方向の離れとが、等しくなるように配置されており、前記梁勝ち梁部材の端部の少なくとも一方の側面に取り付けられた前記接合金物と、前記梁勝ち梁部材の端部の端面に取り付けられた前記接合金物とは、上下逆さまにした状態で配置されると共に、前記梁勝ち梁部材の端部の同じ高さ位置に配置されて取り付けられており、前記接合金物は、前記梁勝ち梁部材の端部の側面及び端面において、縦方向に複数段に重ねて取り付けられており、前記接合金物の前記当接プレート部の一方の端部には、位置決め係止凹部が形成されていると共に、他方の端部には、前記位置決め係止凹部と対応する形状の位置決め係止凸部が形成されており、前記梁勝ち梁部材の端部の側面に複数段に取り付けられた前記接合金物と、前記梁勝ち梁部材の端部の端面に複数段に取り付けられた前記接合金物とは、上下逆さまにした状態で配置されると共に、上段の前記接合金物と下段の前記接合金物とが、前記位置決め係止凹部及び前記位置決め係止凸部を介して位置決めされた状態で上下に連設して、前記梁勝ち梁部材の端部の同じ高さ位置に配置されて取り付けられている梁勝ち接合部における接合金物の取付構造を提供することにより、上記目的を達成したものである。
【００１１】
そして、本発明の梁勝ち接合部における接合金物の取付構造では、前記梁勝ち梁部材と、前記横方向梁部材と、前記継足し梁部材とが、梁の高さが２７０〜９００ｍｍの梁せいの大きな梁部材となっており、前記複数の接合ボルト締着孔は、前記当接プレート部の一方の端部から一端部の前記接合ボルト締着孔の中心までの縦方向の離れが、前記接合ボルト締着孔の前記所定の中心間ピッチの３／４の長さとなっていると共に、前記当接プレート部の他方の端部から他端部の前記接合ボルト締着孔の中心までの縦方向の離れが、前記接合ボルト締着孔の前記所定の中心間ピッチの１／４の長さとなっており、前記複数のドリフトピン係合孔やドリフトピン係合切欠きは、前記当接プレート部の前記一方の端部から一端部の前記ドリフトピン係合孔やドリフトピン係合切欠きの中心までの縦方向の離れと、前記当接プレート部の前記他方の端部から他端部の前記ドリフトピン係合孔やドリフトピン係合切欠きの中心までの縦方向の離れとが、前記接合ボルト締着孔の前記所定の中心間ピッチの１／２の長さとなっていることが好ましい。
【００１２】
また、本発明の梁勝ち接合部における接合金物の取付構造では、前記接合金物の前記当接プレート部の縦方向の一方の端部に形成された前記位置決め係止凹部が、弧状の凹部となっており、縦方向の他方の端部に形成された、前記位置決め係止凹部と対応する形状の前記位置決め係止凸部が、弧状の凸部となっていることが好ましい。
【００１３】
さらに、本発明の梁勝ち接合部における接合金物の取付構造では、前記接合金物の前記当接プレート部の外側面から外側に突出して、前記梁勝ち梁部材の端部の側面や端面に形成されたボルト挿通孔の拡径部分に位置決め装着される位置決め突部が、縦方向に所定の中心間ピッチで複数設けられており、該位置決め突部の中央部分に前記接合ボルト締着孔が各々開口形成されていることが好ましい。
【００１４】
さらにまた、本発明の梁勝ち接合部における接合金物の取付構造では、前記接合金物の前記一対の張出しプレート部に各々形成された複数のドリフトピン係合孔やドリフトピン係合切欠きは、縦方向の両端部分にドリフトピン係合切欠きが形成されており、これらのドリフトピン係合切欠きに挟まれる縦方向の中間部分に、ドリフトピン係合孔が形成されていることが好ましい。
【００１５】
また、本発明の梁勝ち接合部における接合金物の取付構造では、前記梁勝ち梁部材と、前記横方向梁部材と、前記継足し梁部材とが、天面の高さを揃えた状態で設置されていることが好ましい。
【００１６】
そして、本発明は、上記梁勝ち接合部における接合金物の取付構造において使用される、略コの字断面形状を有するように加工形成された接合金物であって、略コの字断面形状のコの字の中間辺部を構成する当接プレート部に、縦方向に所定の中心間ピッチで複数の接合ボルト締着孔が開口形成されており、略コの字断面形状のコの字の両側の側辺部を構成する一対の張出しプレート部に、縦方向に所定の中心間ピッチで複数のドリフトピン係合孔やドリフトピン係合切欠きが各々形成されており、前記複数の接合ボルト締着孔は、前記当接プレート部の一方の端部から一端部の前記接合ボルト締着孔の中心までの縦方向の離れと、前記当接プレート部の他方の端部から他端部の前記接合ボルト締着孔の中心までの縦方向の離れとが、前記所定の中心間ピッチの半分又は略半分の長さ分ずれた長さとなるように配置されており、前記複数のドリフトピン係合孔やドリフトピン係合切欠きは、前記当接プレート部の前記一方の端部から一端部の前記ドリフトピン係合孔やドリフトピン係合切欠きの中心までの縦方向の離れと、前記当接プレート部の前記他方の端部から他端部の前記ドリフトピン係合孔やドリフトピン係合切欠きの中心までの縦方向の離れとが、等しくなるように配置されており、前記当接プレート部の縦方向の一方の端部には、位置決め係止凹部が形成されていると共に、縦方向の他方の端部には、前記位置決め係止凹部と対応する形状の位置決め係止凸部が形成されている接合金物を提供することにより、上記目的を達成したものである。
【００１７】
また、本発明の接合金物では、前記複数の接合ボルト締着孔は、前記当接プレート部の一方の端部から一端部の前記接合ボルト締着孔の中心までの縦方向の離れが、前記接合ボルト締着孔の前記所定の中心間ピッチの３／４の長さとなっていると共に、前記当接プレート部の他方の端部から他端部の前記接合ボルト締着孔の中心までの縦方向の離れが、前記接合ボルト締着孔の前記所定の中心間ピッチの１／４の長さとなっており、前記複数のドリフトピン係合孔やドリフトピン係合切欠きは、前記当接プレート部の前記一方の端部から一端部の前記ドリフトピン係合孔やドリフトピン係合切欠きの中心までの縦方向の離れと、前記当接プレート部の前記他方の端部から他端部の前記ドリフトピン係合孔やドリフトピン係合切欠きの中心までの縦方向の離れとが、前記接合ボルト締着孔の前記所定の中心間ピッチの１／２の長さとなっていることが好ましい。
【発明の効果】
【００１９】
本発明の梁勝ち接合部における接合金物の取付構造又は接合金物によれば、梁勝ち梁部材の端部において、当該梁勝ち梁部材に対して垂直な方向のみならず、これの延設方向にも他の梁部材を接合する場合でも、これらの垂直に交差する２方向に梁部材を接合するための接合金物を、取付け用のボルト部材同士の緩衝を生じさせない状態で、容易に取り付けることができると共に、打ち込まれたドリフトピンの高さ位置を揃えて美観を向上させることができる。
【００２０】
また、本発明の梁勝ち接合部における接合金物の取付構造又は接合金物によれば、梁せいの大きな梁勝ち梁部材の端部に梁せいの大きな横方向梁部材及び継足し梁部材を接合する場合でも、簡易な構成によって、容易に且つ十分な接合強度で、横方向梁部材及び継足し梁部材を梁勝ち梁部材に接合することができる。
【図面の簡単な説明】
【００２１】
【図１】本発明の好ましい一実施形態に係る接合金物の取付構造を用いて形成される梁勝ち接合部の構成を説明する分解斜視図である。
【図２】本発明の好ましい一実施形態に係る接合金物の取付構造を説明する分解斜視図である。
【図３】本発明の好ましい一実施形態に係る接合金物の取付構造を説明する、（ａ）は（ｃ）のＡ−Ａに沿った透視断面図、（ｂ）は（ｃ）のＢ−Ｂに沿った透視断面図、（ｃ）は（ａ）のＣ−Ｃに沿った透視断面図である。
【図４】本発明の好ましい一実施形態に係る接合金物の取付構造において使用される接合金物の斜視図である。
【図５】接合金物を縦方向に複数段に重ねて配置した状態を説明する斜視図である。
【図６】本発明の好ましい他の実施形態に係る接合金物の取付構造を用いて形成される梁勝ち接合部の構成を説明する分解斜視図である。
【図７】本発明の好ましい一実施形態に係る接合金物の取付構造を説明する、（ａ）は（ｃ）のＡ’−Ａ’に沿った透視断面図、（ｂ）は（ｃ）のＢ’−Ｂ’に沿った透視断面図、（ｃ）は（ａ）のＣ’−Ｃ’に沿った透視断面図である。
【発明を実施するための形態】
【００２２】
本発明の好ましい一実施形態に係る梁勝ち接合部における接合金物の取付構造１０は、図１に示すように、例えば木造住宅建築物において、柱部材１１，１２と梁部材１３，１４，１５，１６との接合部として、梁勝ち梁部材１３を挟んだ上下で柱部材１１，１２を分断して、梁勝ち梁部材１３の端部１３ａの上面及び下面から柱部材１１，１２を垂直に立設させると共に、梁勝ち梁部材１３の端部１３ａの両側の側面から一対の横方向梁部材１４，１５を各々垂直横方向に延設させ、且つ梁勝ち梁部材１３の端部１３ａの端面から継足し梁部材１６を直線状に延設させることで構成される梁勝ち接合部４０を形成する際に採用されたものである。また、本実施形態の接合金物の取付構造１０は、梁勝ち梁部材１３の端部１３ａにおいて、垂直に交差する２方向に延設する横方向梁部材１４，１５及び継足し梁部材１６を接合するための接合金物１７を、取付け用のボルト部材２２，２３（図２参照）同士の緩衝を生じさせない状態で取り付けることができるようになっていると共に、横方向梁部材１４，１５や継足し梁部材１６に打ち込まれるドリフトピン３０の高さ位置を揃えることができるようになっている。
【００２３】
そして、本実施形態の梁勝ち接合部における接合金物の取付構造１０は、図１〜図３に示すように、梁勝ち梁部材１３の端部１３ａの少なくとも一方の側面（本実施形態では、両側の側面）から、横方向梁部材１４，１５が垂直に延設して接合されていると共に、梁勝ち梁部材１３の端部１３ａの端面から、継足し梁部材１６が直線状に延設して接合されている梁勝ち接合部４０において用いられる、略コの字断面形状を有するように加工形成された接合金物１７を複数取り付けるための取付構造である。接合金物１７は、略コの字断面形状のコの字の中間辺部を構成する当接プレート部１８に、縦方向に所定の中心間ピッチｐ1で複数の接合ボルト締着孔２０が開口形成されており、略コの字断面形状のコの字の両側の側辺部を構成する一対の張出しプレート部１９に、縦方向に所定の中心間ピッチｐ2で複数のドリフトピン係合孔２１ａやドリフトピン係合切欠き２１ｂが各々形成されている（図３（ａ）参照）。複数の接合ボルト締着孔２０は、当接プレート部１８の一方の端部１８ａから一端部の接合ボルト締着孔２０の中心までの縦方向の離れｈ1と、当接プレート部１８の他方の端部１８ｂから他端部の接合ボルト締着孔２０の中心までの縦方向の離れｈ2とが、所定の中心間ピッチｐ1の半分又は略半分の長さ分ずれた長さとなるように配置されている（図３（ａ）参照）。複数のドリフトピン係合孔２１ａやドリフトピン係合切欠き２１ｂは、当接プレート部１８の一方の端部１８ａから一端部のドリフトピン係合孔２１ａやドリフトピン係合切欠き２１ｂ（本実施形態ではドリフトピン係合切欠き２１ｂ）の中心までの縦方向の離れｈ3と、当接プレート部１８の他方の端部１８ｂから他端部のドリフトピン係合孔２１ａやドリフトピン係合切欠き２１ｂ（本実施形態ではドリフトピン係合切欠き２１ｂ）の中心までの縦方向の離れｈ4とが、等しくなるように配置されている（図３（ａ）参照）。梁勝ち梁部材１３の端部１３ａの少なくとも一方の側面（本実施形態では、両側の側面）に取り付けられた接合金物１７と、梁勝ち梁部材１３の端部１３ａの端面に取り付けられた接合金物１７とは、上下逆さまにした状態で配置されると共に、梁勝ち梁部材１３の端部１３ａの同じ高さ位置に配置されて取り付けられている（図１、図２参照）。
【００２４】
また、本実施形態では、梁勝ち梁部材１３と、横方向梁部材１４，１５と、継足し梁部材１６とは、梁の高さが２７０〜９００ｍｍの梁せいの大きな梁部材となっており（図１参照）、接合金物１７は、梁勝ち梁部材１３の端部１３ａの側面及び端面において、縦方向に複数段（本実施形態では２段）に重ねて取り付けられている。接合金物１７の当接プレート部１８の縦方向の一方の端部１８ａには、位置決め係止凹部２４ａが形成されていると共に、縦方向の他方の端部１８ｂには、位置決め係止凹部２４ａと対応する形状の位置決め係止凸部２４ｂが形成されている（図３（ａ），（ｂ）参照）。複数の接合ボルト締着孔２０は、当接プレート部１８の一方の端部１８ａから一端部の接合ボルト締着孔２０の中心までの縦方向の離れｈ1が、接合ボルト締着孔２０の所定の中心間ピッチｐ1の３／４の長さとなっていると共に、当接プレート部１８の他方の端部１８ｂから他端部の接合ボルト締着孔２０の中心までの縦方向の離れｈ2が、接合ボルト締着孔２０の所定の中心間ピッチｐ1の１／４の長さとなっている（図３（ａ）参照）。複数のドリフトピン係合孔２１ａやドリフトピン係合切欠き２１ｂは、当接プレート部１８の一方の端部１８ａから一端部のドリフトピン係合切欠き２１ｂの中心までの縦方向の離れｈ3と、当接プレート部１８の他方の端部１８ｂから他端部のドリフトピン係合切欠き２１ｂの中心までの縦方向の離れｈ4とが、接合ボルト締着孔２０の所定の中心間ピッチｐ2の１／２の長さとなっている（図３（ａ）参照）。梁勝ち梁部材１３の端部１３ａの側面に複数段（本実施形態では２段）に取り付けられた接合金物１７と、梁勝ち梁部材１３の端部１３ａの端面に複数段（本実施形態では２段）に取り付けられた接合金物１７とは、上下逆さまにした状態で配置されると共に、上段の接合金物１７と下段の接合金物１７とが、位置決め係止凹部２４ａ及び位置決め係止凸部２４ｂを介して位置決めされた状態で上下に連設して、梁勝ち梁部材１３の端部１３ａの同じ高さ位置に配置されて取り付けられている（図１、図３（ａ），（ｂ）参照）。
【００２５】
さらに、本実施形態では、接合金物１７の当接プレート部１８の外側面から外側に突出して、梁勝ち梁部材１３の端部１３ａの側面や端面に形成されたボルト挿通孔２５の拡径部分２５ａ（図１参照）に位置決め装着される位置決め突部２６が、接合ボルト締着孔２０の中心間ピッチｐ1と同様の、縦方向に所定の中心間ピッチｐ1で複数設けられている（図２、図４参照）。これらの位置決め突部２６の中央部分に、接合ボルト締着孔２０が各々開口形成されている。
【００２６】
本実施形態では、梁勝ち接合部２０を構成する梁勝ち梁部材１３は、図１及び図２に示すように、例えば幅１０５ｍｍ程度、高さ４２０ｍｍ程度の大きさの、梁せいの大きな縦長の矩形断面を有する木製の角材からなる。梁勝ち梁部材１３の端部１３ａには、これの上下の面を貫通して、ジョイントパイプ２７を埋め込むための、例えば３４ｍｍ程度の内径の円形断面を有するパイプ嵌込み孔２８が形成されている。
【００２７】
また、梁勝ち梁部材１３の端部１３ａの両側の側面には、接合金物１７の取付け用のボルト部材である長ボルト部材２２が挿通される、ボルト挿通孔２５が、当該側面からパイプ嵌込み孔２８に向けて穿孔されて、接合金物１７の接合ボルト締着孔２０の中心間ピッチｐ1と同様の、縦方向に所定の中心間ピッチｐ1で各々６箇所に開口形成されている（図２参照）。これらのボルト挿通孔２５は、梁勝ち梁部材１３の側面側の両端部分が拡径した、２段構造を備えている。これらの側面側の拡径部分２５ａに、接合金物１７の当接プレート部１８から外側に突出して設けられた位置決め突部２６を装着することで、接合金物１７を、梁勝ち梁部材１３の側面に安定した状態で位置決めさせて、長ボルト部材２２及びナット２２ａを用いて梁勝ち梁部材１３の側面に強固に締着固定できるようになっている。
【００２８】
さらに、梁勝ち梁部材１３の端部１３ａの端面にもまた、接合金物１７の取付け用のボルト部材２３が挿通される、ボルト挿通孔２５が、当該端面からパイプ嵌込み孔２８に向けて穿孔されて、接合金物１７の接合ボルト締着孔２０の中心間ピッチｐ1と同様の、縦方向に所定の中心間ピッチｐ1で各々６箇所に開口形成されている（図２参照）。これらのボルト挿通孔２５もまた、梁勝ち梁部材１３の側面のボルト挿通孔２５と同様に、梁勝ち梁部材１３の端面側の部分が拡径した、２段構造を備えている。これらの端面側の拡径部分２５ａに、接合金物１７の当接プレート部１８から外側に突出して設けられた位置決め突部２６を装着することで、接合金物１７を、梁勝ち梁部材１３の端面に安定した状態で位置決めさせて、ボルト部材２３を用いて梁勝ち梁部材１３の端面に強固に締着固定できるようになっている。
【００２９】
ここで、梁勝ち梁部材１３の端部１３ａの両側の側面に開口するボルト挿通孔２５と、端面に開口するボルト挿通孔２５とは、パイプ嵌込み孔２８に埋め込まれるジョイントパイプ２７に設けられたボルト挿入孔２７ａやボルト螺着孔２７ｂ（図２参照）と対応させて、高さ方向の位置を、接合金物１７に形成された接合ボルト締着孔２０の中心間ピッチｐ1の半分又は略半分の長さ分ずらした状態で、開口形成されている。
【００３０】
梁勝ち梁部材１３の端部１３ａのパイプ嵌込み孔２８に埋め込まれるジョイントパイプ２７は、図２に示すように、例えば金属材料からなる、両端が開口端面として開口する中空円筒形状のパイプ部材である。ジョイントパイプ２７は、梁勝ち梁部材１３の高さと略同様の長さを備えると共に、パイプ嵌込み孔２８の内径と同様の外径を備えていて、パイプ嵌込み孔２８にぴったりと嵌め込まれるようにして、パイプ嵌込み孔２８に埋め込まれる。
【００３１】
また、ジョイントパイプ２７の周面には、これの径方向に対向する位置に開口形成された各一対のボルト挿入孔２７ａが、ジョイントパイプ２７の軸方向に所定の中心間ピッチ（接合金物１７の当接プレート部１８に形成された接合ボルト締着孔２０の所定の中心間ピッチｐ1と同様の中心間ピッチ）で各々６箇所、合計１２箇所に開口形成されている。さらに、ジョイントパイプ２７の周面には、各一対のボルト挿入孔２７ａが対向する径方向から、周方向に９０度離れた位置に開口形成されて、ボルト螺着孔２７ｂが、ジョイントパイプ２７の軸方向に所定の中心間ピッチ（接合金物１７の当接プレート部１８に形成された接合ボルト締着孔２０の所定の中心間ピッチｐ1と同様の中心間ピッチ）で６箇所に開口形成されている。
【００３２】
本実施形態では、これらのボルト挿入孔２７ａやボルト螺着孔２７ｂは、ジョイントパイプ２７における軸方向の位置をずらした状態（接合金物１７の当接プレート部１８に形成された接合ボルト締着孔２０の中心間ピッチｐ1の半分の長さ分ずらした状態）で、ジョイントパイプ２７の周面に形成されている。ボルト挿入孔２７ａとボルト螺着孔２７ｂとが、ジョイントパイプ２７における軸方向の位置をずらして形成されていることで、ボルト挿入孔２７ａに挿通される長ボルト部材２２と、ボルト螺着孔２７ｂに螺着されるボルト部材２３とを、互いに干渉させることなく、梁勝ち梁部材１３の端部１３ａに締着させることが可能になる。
【００３３】
そして、ジョイントパイプ２７は、各一対のボルト挿入孔２７ａを、梁勝ち梁部材１３の端部１３ａの両側の側面に各々６箇所づつ開口形成されたボルト挿通孔２５に合致させると共に、６箇所のボルト螺着孔２７ｂを、梁勝ち梁部材１３の端部１３ａの端面に開口形成された６箇所のボルト挿通孔２５に各々合致させた状態で、パイプ嵌込み孔２８に埋め込まれる。埋め込まれたジョイントパイプ２７には、上下の開口端面を介して、上下一対の柱接合棒状金物２９が各々挿入装着される。
【００３４】
柱接合棒状金物２９は、例えば金属材料からなり、ジョイントパイプ２７の内径と同様の外径を備えると共に、ジョイントパイプ２７よりも長さの短い円筒形状のスリーブ部材である。柱接合棒状金物２９は、ジョイントパイプ２７の内部に挿入配置される挿入側部分と、挿入側部分とは反対側の先端側部分２９ａとからなり、先端側部分２９ａを、梁勝ち梁部材１３の端部１３ａの上面や下面から突出させると共に所定の高さで立設させた状態で、ジョイントパイプ２７を介して梁勝ち梁部材１３の端部１３ａに固定される。
【００３５】
また、本実施形態では、柱接合棒状金物２９のジョイントパイプ２７に挿入装着される部分である挿入側部分には、ジョイントパイプ２７のボルト挿入孔２７ａやボルト螺着孔２７ｂと合致する位置に、重ね合せボルト挿入孔（図示せず）が設けられている。梁勝ち梁部材１３の端部１３ａの側面や端面に、長ボルト部材２２やボルト部材２３を用いて接合金物１７が接合固定される際に、これと同時に、柱接合棒状金物２９が、長ボルト部材２２やボルト部材２３が重ね合せボルト挿入孔に挿入されることによって、ジョイントパイプ２７に取り付けられるようになっている。
【００３６】
さらに、本実施形態では、柱接合棒状金物２９の、梁勝ち梁部材１３の端部１３ａの上面や下面から立設する部分である先端側部分２９ａには、当該先端側部分２９ａを介して上下の柱部材１１，１２を各々梁勝ち梁部材１３の端部１３ａに接合する際に使用する、ドリフトピン３０を貫通係止させるためのドリフトピン係合孔３１が形成されている。
【００３７】
本実施形態では、梁勝ち接合部４０を構成する柱部材１１，１２は、図１に示すように、例えば縦横１０５ｍｍ程度の大きさの正方形断面を有する木製の角材からなる。梁勝ち梁部材１３の端部１３ａの上面から垂直上方に立設して取り付けられる上方柱部材１１には、これの下端面の中央部分に開口すると共に、軸方向に穿孔形成された嵌合孔１１ａが設けられている。嵌合孔１１ａは、梁勝ち梁部材１３の端部１３ａの上面から突出する柱接合棒状金物２９の先端側部分２９ａの外径と同様の内径を備えている。嵌合孔１１ａには、柱接合棒状金物２９の先端側部分２９ａが、ぴったりと嵌め込まれるようにして装着される。上方柱部材１１の下端部には、一対の対向する側面の間を貫通するようにして、嵌合孔１１ａに装着された際の柱接合棒状金物２９の先端側部分２９ａに形成されたドリフトピン係合孔３１と合致する位置に、柱側ドリフトピン係合孔３２が穿孔形成されている。
【００３８】
梁勝ち梁部材１３の端部１３ａの下面から垂直下方に立設して取り付けられる下方柱部材１２には、これの上端面の中央部分に開口すると共に、軸方向に穿孔形成された嵌合孔１２ａが設けられている。嵌合孔１２ａは、梁勝ち梁部材１３の端部１３ａの下面から突出する柱接合棒状金物２９の先端側部分２９ａの外径と同様の内径を備えている。嵌合孔１２ａには、柱接合棒状金物２９の先端側部分２９ａが、ぴったりと嵌め込まれるようにして装着される。下方柱部材１２の上端部には、一対の対向する側面の間を貫通するようにして、嵌合孔１２ａに装着された際の柱接合棒状金物２９の先端側部分２９ａに形成されたドリフトピン係合孔３１と合致する位置に、柱側ドリフトピン係合孔３２が穿孔形成されている。
【００３９】
これらの柱部材１１，１２は、上下一対の柱接合棒状金物２９の先端側部分２９ａの各々に、これらの柱部材１１，１２の端面に形成された嵌合孔１１ａ，１２ａを嵌め込んで、合致させた柱側ドリフトピン係合孔３２及びドリフトピン係合孔３１に向けて、ドリフトピン３０を打ち込むだけの簡易な作業によって、梁勝ち梁部材１３の端部１３ａの上面及び下面から立設させた状態で、梁勝ち梁部材１３の端部１３ａに一体として接合固定することができる。
【００４０】
また、本実施形態では、梁勝ち接合部４０を構成する左右一対の横方向梁部材１４，１５は、図１及び図３（ｂ）、（ｃ）に示すように、梁勝ち梁部材１３と同様に、例えば幅１０５ｍｍ程度、高さ４２０ｍｍ程度の大きさの縦長の矩形断面を有する木製の角材からなる。これらの横方向梁部材１４，１５の、梁勝ち梁部材１３の端部１３ａの側面と接合される端面には、各々、当該端面と垂直な方向に切り込まれた一対の平行な接合溝１４ａ，１５ａを含む、略コの字断面形状の切欠き凹部１４ｂ，１５ｂが形成されている。すなわち、切欠き凹部１４ｂ，１５ｂは、横方向梁部材１４，１５の端面に沿って薄く切り欠かれた、略コの字断面形状の中間辺部による端面切欠き部１４ｃ，１５ｃと、端面切欠き部１４ｃ，１５ｃの両端部から横方向梁部材１４，１５の軸方向に向けて垂直に切り込まれた、略コの字断面形状の一対の側辺部による接合溝１４ａ，１５ａとからなる。
【００４１】
横方向梁部材１４，１５を、接合金物１７を介して梁勝ち梁部材１３の端部１３ａの両側の側面に各々接合固定する際に、梁勝ち梁部材１３の側面に固定された接合金物１７の一対の張出しプレート部１９は、横方向梁部材１４，１５の端面に形成された切欠き凹部１４ｂ，１５ｂの一対の接合溝１４ａ，１５ａに、各々ぴったりと嵌め込まれるようにして装着される。また接合金物１７の当接プレート部１８は、切欠き凹部１４ｂ，１５ｂの端面切欠き部１４ｃ，１５ｃに納められた状態で取り付けられる。
【００４２】
また、横方向梁部材１４，１５の、切欠き凹部１４ｂ，１５ｂが形成された端面と近接する部分の側面には、両側の側面の間を貫通するようにして、接合溝１４ａ，１５ａに装着された接合金物１７の張出しプレート部１９に形成された複数のドリフトピン係合孔２１ａやドリフトピン係合切欠２１ｂのうちの、適宜選択されたドリフトピン係合孔２１ａやドリフトピン係合切欠２１ｂと合致する位置に、梁側ドリフトピン係合孔３３が穿孔形成されている。
【００４３】
さらに、本実施形態では、梁勝ち接合部２０を構成する継足し梁部材１６は、図１及び図３（ａ）、（ｃ）に示すように、梁勝ち梁部材１３よりも梁せいが若干小さな、例えば幅１０５ｍｍ程度、高さ３９０ｍｍ程度の大きさの縦長の矩形断面を有する木製の角材からなる。継足し梁部材１６の、梁勝ち梁部材１３の端面と接合される端面には、当該端面と垂直な方向に切り込まれた一対の平行な接合溝１６ａを含む、略コの字断面形状の切欠き凹部１６ｂが形成されている。すなわち、切欠き凹部１６ｂは、継足し梁部材１６の端面に沿って薄く切り欠かれた、略コの字断面形状の中間辺部による端面切欠き部１６ｃと、端面切欠き部１６ｃの両端部から継足し梁部材１６の軸方向に向けて垂直に切り込まれた、略コの字断面形状の一対の側辺部による接合溝１６ａとからなる。
【００４４】
継足し梁部材１６を、接合金物１７を介して梁勝ち梁部材１３の端部１３ａの端面に接合固定する際に、梁勝ち梁部材１３の端面に固定された接合金物１７の一対の張出しプレート部１９は、継足し梁部材１６の端面に形成された切欠き凹部１６ｂの一対の接合溝１６ａに、各々ぴったりと嵌め込まれるようにして装着される。また接合金物１７の当接プレート部１８は、切欠き凹部１６ｂの端面切欠き部１６ｃに納められた状態で取り付けられる。
【００４５】
また、継足し梁部材１６の、切欠き凹部１６ｂが形成された端面と近接する部分の側面には、両側の側面の間を貫通するようにして、接合溝１６ａに装着された接合金物１７の張出しプレート部１９に形成された複数のドリフトピン係合孔２１ａやドリフトピン係合切欠２１ｂのうちの、適宜選択されたドリフトピン係合孔２１ａやドリフトピン係合切欠２１ｂと合致する位置に、梁側ドリフトピン係合孔３４が穿孔形成されている。
【００４６】
さらにまた、本実施形態では、これらの梁勝ち梁部材１３と、横方向梁部材１４，１５と、継足し梁部材１６とは、梁勝ち接合部４０において、天面の高さを揃えた状態で設置されている。
【００４７】
そして、本実施形態では、梁勝ち接合部４０において、梁勝ち梁部材１３の端部１３ａの両側の側面及び端面に各々接合固定されて使用される接合金物１７は、好ましくは金属製のプレート部材に公知の折り曲げ加工等を施すことによって、略コの字断面形状を有するように加工形成された梁接合用のプレート状の金物であって、図３〜図５に示すように、略コの字断面形状のコの字の中間辺部を構成する当接プレート部１８に、縦方向に所定の中心間ピッチｐ1として、例えば６０ｍｍ程度の中心間ピッチｐ1で複数（本実施形態では３箇所）の接合ボルト締着孔２０が開口形成されており、略コの字断面形状のコの字の両側の側辺部を構成する一対の張出しプレート部１９に、縦方向に所定の中心間ピッチｐ2として、例えば３０ｍｍ程度の中心間ピッチｐ2で複数（本実施形態では６箇所）のドリフトピン係合孔２１ａやドリフトピン係合切欠き２１ｂが各々形成されている（図３（ａ）、（ｂ）参照）。複数の接合ボルト締着孔２０は、当接プレート部１８の一方の端部１８ａから一端部の接合ボルト締着孔２０の中心までの縦方向の離れｈ1と、当接プレート部１８の他方の端部１８ｂから他端部の接合ボルト締着孔２０の中心までの縦方向の離れｈ2とが、所定の中心間ピッチｐ1の半分又は略半分の長さ分ずれた長さとなるように配置されている（図３（ａ）参照）。複数のドリフトピン係合孔２１ａやドリフトピン係合切欠き２１ｂは、当接プレート部１８の一方の端部１８ａから一端部のドリフトピン係合孔２１ａやドリフトピン係合切欠き２１ｂ（本実施形態ではドリフトピン係合切欠き２１ｂ）の中心までの縦方向の離れｈ3と、当接プレート部１８の他方の端部１８ｂから他端部のドリフトピン係合孔２１ａやドリフトピン係合切欠き２１ｂ（本実施形態ではドリフトピン係合切欠き２１ｂ）の中心までの縦方向の離れｈ4とが、等しくなるように配置されている（図３（ａ）参照）。
【００４８】
また、本実施形態では、複数の接合ボルト締着孔２０は、当接プレート部１８の一方の端部１８ａから一端部の接合ボルト締着孔２０の中心までの縦方向の離れｈ1が、好ましくは接合ボルト締着孔２０の所定の中心間ピッチｐ1の３／４の長さ（例えば４５ｍｍ）となっていると共に、当接プレート部１８の他方の端部１８ｂから他端部の接合ボルト締着孔２０の中心までの縦方向の離れｈ2が、接合ボルト締着孔２０の所定の中心間ピッチｐ1の１／４の長さ（例えば１５ｍｍ）となっている（図３（ａ）参照）。複数のドリフトピン係合孔２１ａやドリフトピン係合切欠き２１ｂは、当接プレート部１８の一方の端部１８ａから一端部のドリフトピン係合切欠き２１ｂの中心までの縦方向の離れｈ3と、当接プレート部１８の他方の端部１８ｂから他端部のドリフトピン係合切欠き２１ｂの中心までの縦方向の離れｈ4とが、接合ボルト締着孔２０の所定の中心間ピッチｐ2の１／２の長さ（例えば１５ｍｍ）となっている（図３（ａ）参照）。
【００４９】
さらに、本実施形態では、当接プレート部１８の縦方向の一方の端部１８ａには、位置決め係止凹部２４ａとして、好ましくは弧状の凹部となっている位置決め係止凹部２４ａが形成されていると共に、縦方向の他方の端部１８ｂには、位置決め係止凹部２４ａと対応する形状の位置決め係止凸部２４ｂとして、好ましくは弧状の凸部となっている位置決め係止凸部２４ｂが形成されている。
【００５０】
当接プレート部１８の縦方向の一方の端部１８ａや他方の端部１８ｂに、位置決め係止凹部２４ａや位置決め係止凸部２４ｂが形成されていることにより、梁勝ち梁部材１３の端部１３ａの側面や端面に、接合金物１７を縦方向に上下に複数段に重ねて配置する際に、下段の接合金物１７の上端部の位置決め係止凹部２４ａや位置決め係止凸部２４ｂに、上段の接合金物１７の下端部の位置決め係止凸部２４ｂや位置決め係止凹部２４ａを係止するだけの簡易な構成によって、各上段の接合金物１７と下段の接合金物１７とを、当該位置決め係止凹部２４ａ及び位置決め係止凸部２４ｂを介して各々安定した状態で位置決めさせて、上下に一体として連設させることにより、十分な接合強度で、横方向梁部材１４，１５や継足し梁部材１６を梁勝ち梁部材１３に容易に接合することが可能になる。
【００５１】
さらにまた、本実施形態では、上述のように、略コの字断面形状を有する接合金物１７の当接プレート部１８の外側面から外側に突出して、梁勝ち梁部材１３の端部１３ａの側面や端面に形成されたボルト挿通孔２５の拡径部分２５ａに位置決め装着される、位置決め突部２６が、縦方向に接合ボルト締着孔２０と同様の所定の中心間ピッチｐ1で複数設けられている。これらの位置決め突部２６の中央部分には、接合ボルト締着孔２０が各々開口形成されている。接合金物１７を梁勝ち梁部材１３の端部１３ａの側面や端面に固定するための、長ボルト部材２２の頭部や、ナット２２ａ、或いはボルト部材２３の頭部は、必要に応じてワッシャー部材を介在させた状態で、これらの位置決め突部２６の中空内部において締着されるようになっている。
【００５２】
また、本実施形態では、接合金物１７の一対の張出しプレート部１９に各々形成された、複数のドリフトピン係合孔２１ａやドリフトピン係合切欠き２１ｂは、縦方向の両端部分に各々１箇所のドリフトピン係合切欠き２１ｂが形成されており、これらのドリフトピン係合切欠き２１ｂに挟まれる縦方向の中間部分に、４箇所のドリフトピン係合孔２１ａが形成されている。
【００５３】
本実施形態によれば、梁勝ち接合部における接合金物の取付構造１０は、上述の構成を備える接合金物１７を、例えば梁せいの大きな梁部材となっている梁勝ち梁部材１３の端部１３ａの一対の側面及び端面に、上述の長ボルト部材２２、ナット２２ａ、ボルト部材２３、ジョイントパイプ２７等を用いて、各々２段の接合金物１７を、側面と端面とで上下逆さまにした状態で配置すると共に、位置決め係止凹部２４ａ及び位置決め係止凸部２４ｂを介して位置決めした状態で上下に連設して、梁勝ち梁部材１３の端部１３ａの同じ高さ位置に取り付けることによって形成される（図１〜図３参照）。
【００５４】
そして、上述の構成を備える本実施形態の梁勝ち接合部における接合金物の取付構造１０によれば、梁勝ち梁部材１３の端部１３ａにおいて、垂直に交差する２方向に延設する横方向梁部材１４，１５と継足し梁部材１６とを梁勝ち梁部材１３に接合するための接合金物１７を、取付け用のボルト部材２２，２３同士の緩衝を生じさせない状態で、容易に取り付けることが可能になると共に、横方向梁部材１４，１５や継足し梁部材１６の側面に打ち込まれたドリフトピン３０の高さ位置を揃えて美観を向上させることが可能になる。
【００５５】
すなわち、本実施形態によれば、接合金物１７において、略コの字断面形状のコの字の中間辺部を構成する当接プレート部１８に、縦方向に所定の中心間ピッチｐ1で開口形成された複数の接合ボルト締着孔２０は、当接プレート部１８の一方の端部１８ａから一端部の接合ボルト締着孔２０の中心までの縦方向の離れｈ1と、当接プレート部１８の他方の端部１８ｂから他端部の接合ボルト締着孔２０の中心までの縦方向の離れｈ2とが、所定の中心間ピッチｐ1の半分又は略半分の長さ分ずれた長さとなるように配置されていると共に、略コの字断面形状のコの字の両側の側辺部を構成する一対の張出しプレート部１９に、縦方向に所定の中心間ピッチｐ2で各々形成された複数のドリフトピン係合孔２１ａやドリフトピン係合切欠き２１ｂは、当接プレート部１８の一方の端部１８ａから一端部のドリフトピン係合切欠き２１ｂの中心までの縦方向の離れｈ3と、当接プレート部１８の他方の端部１８ｂから他端部のドリフトピン係合切欠き２１ｂの中心までの縦方向の離れｈ4とが、等しくなるように配置されており、且つ梁勝ち梁部材１３の端部１３ａの側面に取り付けられた接合金物１７と、梁勝ち梁部材１３の端部１３ａの端面に取り付けられた接合金物１７とは、上下逆さまにした状態で配置されると共に、梁勝ち梁部材１３の端部１３ａの同じ高さ位置に配置されて取り付けられている。
【００５６】
これによって、梁勝ち梁部材１３の端部１３ａにおいて、同じ高さ位置に配置された、端部１３ａの側面に取り付けられた接合金物１７の接合ボルト締着孔２０と、端部１３ａの端面に取り付けられた接合金物１７の接合ボルト締着孔２０とが、所定の中心間ピッチｐ1の半分又は略半分の長さ分、上下にずれた状態で、互い違いに配置されることになるので、取付け用の長ボルト部材２２とボルト部材２３とが緩衝するのを、効果的に回避することが可能になる。また同じ高さ位置に配置された、端部１３ａの側面に取り付けられた接合金物１７のドリフトピン係合孔２１ａやドリフトピン係合切欠き２１ｂと、端部１３ａの端面に取り付けられた接合金物１７のドリフトピン係合孔２１ａやドリフトピン係合切欠き２１ｂとが、上下にずれることなく同じ高さ位置に配置されることになるので、取り付けられた各々の接合金物１７の一対の張出しプレート部１９に接合溝１４ａ，１５ａ，１６ａを嵌め込んで梁勝ち梁部材１３に接合された、横方向梁部材１４，１５や継足し梁部材１６の側面に、梁側ドリフトピン係合孔３３を介して打ち込まれたドリフトピン３０の高さ位置を揃えることが可能になって、例えばこれらの梁部材１３，１４，１５，１６があらわし梁として用いられた際に、梁勝ち接合部２０の美観を、効果的に向上させることが可能になる。
【００５７】
また、上述の構成を備える本実施形態の梁勝ち接合部における接合金物の取付構造１０によれば、梁せいの大きな梁勝ち梁部材１３の端部１３ａに梁せいの大きな横方向梁部材１４，１５及び継足し梁部材１６を接合する場合でも、簡易な構成によって、容易に且つ十分な接合強度で、横方向梁部材１４，１５及び継足し梁部材１６を梁勝ち梁部材１３に接合することが可能になる。
【００５８】
すなわち、本実施形態によれば、梁勝ち梁部材１３の端部１３ａの側面及び端面において、縦方向に２段に重ねて取り付けられている接合金物１７における、当接プレート部１８の縦方向の一方の端部１８ａには、位置決め係止凹部２４ａが形成されていると共に、縦方向の他方の端部１８ｂには、位置決め係止凹部２４ａと対応する形状の位置決め係止凸部２４ｂが形成されており、複数の接合ボルト締着孔２０は、当接プレート部１８の一方の端部１８ａから一端部の接合ボルト締着孔２０の中心までの縦方向の離れｈ1が、接合ボルト締着孔２０の所定の中心間ピッチｐ1の３／４の長さとなっていると共に、当接プレート部１８の他方の端部１８ｂから他端部の接合ボルト締着孔２０の中心までの縦方向の離れｈ2が、接合ボルト締着孔２０の所定の中心間ピッチｐ1の１／４の長さとなっており、且つ複数のドリフトピン係合孔２１ａやドリフトピン係合切欠き２１ｂは、当接プレート部１８の一方の端部１８ａから一端部のドリフトピン係合切欠き２１ｂの中心までの縦方向の離れｈ3と、当接プレート部１８の他方の端部１８ｂから他端部のドリフトピン係合切欠き２１ｂの中心までの縦方向の離れｈ4とが、接合ボルト締着孔２０の所定の中心間ピッチｐ2の１／２の長さとなっている。
【００５９】
これによって、梁勝ち梁部材１３の端部１３ａの側面に取り付けられた２段の接合金物１７と、端面に取り付けられた２段の接合金物１７とを、上下逆さまにした状態で配置すると共に、上段の接合金物１７と下段の接合金物１７とを、位置決め係止凹部２４ａ及び位置決め係止凸部２４ｂを介して位置決めすることで上下に連設して、梁勝ち梁部材１３の端部１３ａの同じ高さ位置に配置するだけの簡易な構成によって、十分な接合強度を保持した状態で、且つ上下に連設する接合金物１７における、複数の接合ボルト締着孔２０、及び複数のドリフトピン係合孔２１ａやドリフトピン係合切欠き２１ｂの縦方向の所定の中心間ピッチｐ1，ｐ2を保持した状態で、横方向梁部材１４，１５及び継足し梁部材１６を梁勝ち梁部材１３に容易に接合することが可能になる。
【００６０】
図６及び図７（ａ）〜（ｃ）は、本発明の好ましい他の実施形態に係る接合金物の取付構造１０’を説明するものである。本他の実施形態の接合金物の取付構造１０’では、梁勝ち接合部４０’を構成する梁勝ち梁部材１３’や横方向梁部材１４’，１５’や継足し梁部材１６’は、梁の高さが例えば１２０〜２７０ｍｍ程度の一般的な梁せいの梁部材となっている。また、接合金物１７は、梁勝ち梁部材１３’の端部１３ａ’の側面及び端面において、上下逆さまにした状態で配置されると共に、梁勝ち梁部材１３’の端部１３ａ’の同じ高さ位置に配置されて、各々１段のみ取り付けられており、これらの接合金物１７を介して、横方向梁部材１４’，１５’や継足し梁部材１６’が、梁勝ち梁部材１３’の端部１３ａ’に接合されている。
【００６１】
本他の実施形態の接合金物の取付構造１０’によっても、接合金物１７において、略コの字断面形状のコの字の中間辺部を構成する当接プレート部１８に、縦方向に所定の中心間ピッチｐ1で開口形成された複数の接合ボルト締着孔２０は、当接プレート部１８の一方の端部１８ａから一端部の接合ボルト締着孔２０の中心までの縦方向の離れｈ1と、当接プレート部１８の他方の端部１８ｂから他端部の接合ボルト締着孔２０の中心までの縦方向の離れｈ2とが、所定の中心間ピッチｐ1の半分又は略半分の長さ分ずれた長さとなるように配置されていると共に、略コの字断面形状のコの字の両側の側辺部を構成する一対の張出しプレート部１９に、縦方向に所定の中心間ピッチｐ2で各々形成された複数のドリフトピン係合孔２１ａやドリフトピン係合切欠き２１ｂは、当接プレート部１８の一方の端部１８ａから一端部のドリフトピン係合切欠き２１ｂの中心までの縦方向の離れｈ3と、当接プレート部１８の他方の端部１８ｂから他端部のドリフトピン係合切欠き２１ｂの中心までの縦方向の離れｈ4とが、等しくなるように配置されており、且つ梁勝ち梁部材１３’の端部１３ａ’の側面に取り付けられた接合金物１７と、梁勝ち梁部材１３’の端部１３ａ’の端面に取り付けられた接合金物１７とは、上下逆さまにした状態で配置されると共に、梁勝ち梁部材１３’の端部１３ａ’の同じ高さ位置に配置されて取り付けられているので、上記実施形態の接合金物の取付構造１０と略同様の作用効果が奏される。
【００６２】
なお、本発明は上記実施形態に限定されることなく種々の変更が可能である。例えば、本発明の接合金物の取付構造が採用される梁勝ち接合部は、梁勝ち梁部材の端部の上面及び下面の双方から柱部材が立設するものである必要は必ずしも無く、上面又は下面の一方のみから柱部材が立設するものであっても良い。また、横方向梁部材は、梁勝ち梁部材の端部の両側の側面に接合されている必要は必ずしも無く、一方の側面に１本のみ接合されているものであっても良い。さらに、接合金物は、梁勝ち梁部材の端部の側面や端面に、３段以上取り付けることもでき、接合金物は、当接プレート部に接合ボルト締着孔を、縦方向に２箇所又は４箇所以上備えるものであっても良い。
【符号の説明】
【００６３】
１０，１０’  接合金物の取付構造
１１  上方柱部材
１２  下方柱部材
１３，１３’  梁勝ち梁部材
１３ａ，１３ａ’  端部
１４，１５，１４’，１５’  横方向梁部材
１６，１６’  継足し梁部材
１７  接合金物
１８  当接プレート部
１８ａ  一方の端部
１８ｂ  一方の端部
１９  ジョイントパイプ
２０  接合ボルト締着孔
２１ａ  ドリフトピン係合孔
２１ｂ  ドリフトピン係合切欠き
２２  長ボルト部材（ボルト部材）
２３  ボルト部材
２４ａ  位置決め係止凹部
２４ｂ  位置決め係止凸部
２５  ボルト挿通孔
２５ａ  拡径部分
２６  位置決め突部
２７  ジョイントパイプ
２７ａ  ボルト挿入孔
２７ｂ  ボルト螺着孔
３０  ドリフトピン
３３，３４  梁側ドリフトピン係合孔
４０，４０’  梁勝ち接合部
ｐ1  接合ボルト締着孔の縦方向の所定の中心間ピッチ
ｐ2  ドリフトピン係合孔やドリフトピン係合切欠きの縦方向の所定の中心間ピッチ
ｈ1  当接プレート部の一方の端部から一端部の接合ボルト締着孔の中心までの縦方向の離れ
ｈ2  当接プレート部の他方の端部から他端部の接合ボルト締着孔の中心までの縦方向の離れ
ｈ3  当接プレート部の一方の端部からドリフトピン係合切欠きの中心までの縦方向の離れ
ｈ4  当接プレート部の他方の端部からドリフトピン係合切欠きの中心までの縦方向の離れ
【図１】
0006005374.tif 000002
【図２】
0006005374.tif 000003
【図３】
0006005374.tif 000004
【図４】
0006005374.tif 000005
【図５】
0006005374.tif 000006
【図６】
0006005374.tif 000007
【図７】
0006005374.tif 000008